(57)【要約】  本発明は端末間の通信と制御の方法及び装置を開示した。ネットワークでカバーされていない動作キャリア上で動作する端末が、オンライン構成キャリアを通じて動作キャリアのリソース構成情報を取得することができ、さらに動作キャリア上で端末間の通信を行わせ、より柔軟にリソースを設定することができる。本発明に係る端末間の通信方法は、動作キャリア上でオフラインであると確定する場合、構成キャリアを確定し、構成キャリアがオンラインであり、前記構成キャリアに前記動作キャリアのリソース構成情報が設定されていると確定する場合、前記動作キャリアのリソース構成情報を取得し、前記リソース構成情報に基づき、前記動作キャリアにおいて端末間の通信を行う。
2019521616.tif 000002
【特許請求の範囲】
【請求項１】
動作キャリア上でオフラインであると確定する場合、構成キャリアを確定するステップと、
構成キャリアがオンラインであり、前記構成キャリアに前記動作キャリアのリソース構成情報が設定されていると確定する場合、前記動作キャリアのリソース構成情報を取得するステップと、
前記リソース構成情報に基づき、前記動作キャリアにおいて端末間の通信を行うステップとを備えることを特徴とする端末間の通信方法。
【請求項２】
構成キャリアがオフラインであると確定した場合、事前に設定されたリソースを利用して端末間の通信を行うことを特徴とする請求項１に記載の端末間の通信方法。
【請求項３】
以下方式のうちの少なくとも１つにより、構成キャリアを確定し、
事前に設定された情報に含まれる構成キャリアリストにより、構成キャリアを確定し、
事前に設定された情報に含まれる検索キャリアリストにより、検索キャリアを確定し、検索キャリアにおいて動作する基地局により構成キャリアを確定し、
サーバとのインターアクションにより、構成キャリアを確定し、
任意のキャリアを介してネットワークにアクセスし、基地局とのインターアクションにより、構成キャリアを確定することを特徴とする請求項１に記載の端末間の通信方法。
【請求項４】
前記動作キャリアのリソース構成情報を取得する場合、
前記構成キャリアにおいて動作する基地局により送信されたブロードキャストメッセージまたは専用シグナリングにより、動作キャリアのリソース構成情報を取得することを特徴とする請求項１に記載の端末間の通信方法。
【請求項５】
前記動作キャリアは複数のキャリアを含み、前記構作キャリアは複数のキャリアを含み、１つの構成キャリアに１つの動作キャリアのリソース構成情報が設定されており、または、１つの構成キャリアに複数の動作キャリアのリソース構成情報が設定されていることを特徴とする請求項１に記載の端末間の通信方法。
【請求項６】
端末間の通信のための動作キャリアのリソース構成情報を確定するステップと、
前記リソース構成情報を端末に通知するステップとを備えることを特徴とする端末間の通信制御方法。
【請求項７】
ブロードキャストメッセージまたは専用シグナリングにより、前記リソース構成情報を端末に通知し、または、端末とインターアクションしながら、前記リソース構成情報を端末に通知することを特徴とする請求項６に記載の端末間の通信制御方法。
【請求項８】
動作キャリア上でオフラインであると確定する場合、構成キャリアを確定する第１ユニットと、
構成キャリアがオンラインであり、前記構成キャリアに前記動作キャリアのリソース構成情報が設定されていると確定する場合、前記動作キャリアのリソース構成情報を取得する第２ユニットと、
前記リソース構成情報に基づき、前記動作キャリアにおいて端末間の通信を行う第３ユニットとを備えることを特徴とする端末間の通信装置。
【請求項９】
前記第３ユニットは、構成キャリアがオフラインであると確定した場合、事前に設定されたリソースを利用して端末間の通信を行うことを特徴とする請求項８に記載の端末間の通信装置。
【請求項１０】
前記第１ユニットは、以下の方式のうちの少なくとも１つにより、構成キャリアを確定し、
事前に設定された情報に含まれる構成キャリアリストにより、構成キャリアを確定し、
事前に設定された情報に含まれる検索キャリアリストにより、検索キャリアを確定し、検索キャリアにおいて動作する基地局により構成キャリアを確定し、
サーバとのインターアクションにより、構成キャリアを確定し、
任意のキャリアを介してネットワークにアクセスし、基地局とのインターアクションにより、構成キャリアを確定することを特徴とする請求項８に記載の端末間の通信装置。
【請求項１１】
前記第２ユニットが前記動作キャリアのリソース構成情報を取得する場合、
前記構成キャリアにおいて動作する基地局により送信されたブロードキャストメッセージまたは専用シグナリングにより、動作キャリアのリソース構成情報を取得することを特徴とする請求項８に記載の端末間の通信装置。
【請求項１２】
前記動作キャリアは複数のキャリアを含み、前記構成キャリアは複数のキャリアを含み、１つの構成キャリアに１つの動作キャリアのリソース構成情報が設定されており、または、１つの構成キャリアに複数の動作キャリアのリソース構成情報が設定されていることを特徴とする請求項８に記載の端末間の通信装置。
【請求項１３】
端末間の通信のための動作キャリアのリソース構成情報を確定する確定ユニットと、
前記リソース構成情報を端末に通知する通知ユニットとを備えることを特徴とする端末間の通信制御装置。
【請求項１４】
前記通知ユニットは、ブロードキャストメッセージまたは専用シグナリングにより、前記リソース構成情報を端末に通知し、または、端末とインターアクションしながら、前記リソース構成情報を端末に通知することを特徴とする請求項１３に記載の端末間の通信制御装置。
【請求項１５】
端末間の通信方法を実行するためのプログラムを格納するメモリと、
少なくとも１つのプロセッサとを備え、
前記少なくとも１つのプロセッサは、前記プログラムを読み出し、プログラムを実行する時に、
動作キャリア上でオフラインであると確定する場合、構成キャリアを確定し、
構成キャリアがオンラインであり、前記構成キャリアに前記動作キャリアのリソース構成情報が設定されていると確定する場合、前記動作キャリアのリソース構成情報を取得し、
前記リソース構成情報に基づき、前記動作キャリアにおいて端末間の通信を行うことを特徴とするコンピュータ装置。
【請求項１６】
端末間の通信制御方法を実行するためのプログラムを格納するメモリと、
前記プログラムを読み出し、プログラムを実行する時に、端末間の通信のための動作キャリアのリソース構成情報を確定し、前記リソース構成情報を端末に通知する少なくとも１つのプロセッサとを備えることを特徴とするコンピュータ装置。
【発明の詳細な説明】
【技術分野】
【０００１】
本発明は通信技術分野に関し、特に、端末間の通信と制御の方法及び装置に関する。
【背景技術】
【０００２】
ロングタームエボリューション（Ｌｏｎｇ Ｔｅｒｍ Ｅｖｏｌｕｔｉｏｎ，ＬＴＥ）システムにおけるデバイス間（Ｄｅｖｉｃｅ ｔｏ Ｄｅｖｉｃｅ，ｃ）通信の研究および設計において、ＰＣ４インターフェースを介してデータを送信するオンラインまたはオフラインの端末（Ｕｓｅｒ Ｅｑｕｉｐｍｅｎｔ，ＵＥ）を確定するために、キャリア上でＵＥがオンラインであるかオフラインであるかは、ＵＥがセル上でS基準を満たすセルを検出できるかどうかに基づいて確定され、前記ＰＣ４インターフェースは、３ＧＰＰ（３ｒｄ  Ｇｅｎｅｒａｔｉｏｎ  Ｐａｒｔｎｅｒｓｈｉｐ  Ｐｒｏｊｅｃｔ）リリース１２（Ｒｅｌ-１２）のＤ２Ｄプロジェクトに導入される直接ＵＥ間通信インターフェースである。隣接するＵＥは、中央ノード（例えば基地局）を通してデータを転送することなく、また従来のセルラーリンクを通してＵＥ間で情報を送信することなく、短距離範囲で直接リンクを通してデータを送信することができる。ＵＥがオフラインであるとＵＥが判断した場合、事前に設定されたリソースを介してデータを送信することができる。それ以外の場合は、オンラインであると判断される可能性があるため、事前に設定されたリソースを介してデータをやり取りすることはできないが、ネットワークが設定したリソースを介してデータをやり取りすることになる。 
【０００３】
Ｖ２Ｘ（Ｖｅｈｉｃｌｅ ｔｏ Ｅｖｅｒｙｔｈｉｎｇ）通信は、ＬＴＥ リリース１４（Ｒｅｌ-１４）に導入されており、Ｖ２Ｘ通信は、ＰＣ４インターフェースに基づくV２X通信（ＰＣ４−ｂａｓｅｄ Ｖ2Ｘ）と、Ｕｕインターフェースに基づくV２X通信（Ｕｕ−ｂａｓｅｄ Ｖ２Ｘ）に分類することができる。ここで、ＰＣ４-ｂａｓｅｄ Ｖ２Ｘ通信が一般的に高周波数帯域（約５．９ＧＨｚ）で動作する。高周波数帯域通信の特性のため、その高周波帯域内にマクロ基地局を展開することは困難である。よって、ＰＣ４-ｂａｓｅｄ Ｖ2Ｘ通信を運用するキャリア上にネットワークが存在しない可能性がある。従来のＰＣ４インターフェースのオンライン/オフライン判定及びリソース利用ルールで、ＵＥが自分がオフラインであると判断し、事前に設定されたリソースを介してＶ２Ｘ通信を実行する場合、いくつかの欠点が存在し得る。たとえば、領域内のサービス特性に従ってリソースプールの構成が更新されないように変更することはできない。
【０００４】
前記Ｖ2Ｘ通信は、現在通信の分野においてホットな課題であり、そのプロジェクトは、２０１５年の３ＧＰＰ ｒａｎ＃６７において設立されている。V２X通信は、一般に、以下の３つの側面に関連する。
【０００５】
Ｖ２Ｖ（Ｖｅｃｈｉｌｅ−ｔｏ−Ｖｅｃｈｉｌｅ）：車両上のＯＢＵ（Ｏｎ Ｂｒｏａｄ ｕｎｉｔ，ＯＢＵ）間の通信。
【０００６】
Ｖ２Ｉ（Ｖｅｃｈｉｌｅ−ｔｏ−Ｉｎｆｒａｓｔｒｕｃｔｕｒｅ）：車両とＲＳＵ（Ｒｏａｄ Ｓｉｄｅ ｕｎｉｔ）間の通信。
【０００７】
Ｖ２Ｐ（Ｖｅｃｈｉｌｅ−ｔｏ−Ｐｅｄｅｓｔｒｉａｎ）：車両と歩行者間の通信。
【０００８】
上記３つのＶ２Ｘ通信モードのうち、Ｖ２Ｖ通信における遅延は最短であることが要求される。特にエンドツーエンドの遅延は１００msを超えないようにする必要がある。
【０００９】
要約すると、おそらく基地局が配置されていないＰＣ５インターフェースベースのキャリア上で動作するＰＣ５ベースのＶ２Ｘ通信および他の将来のサービスは、既存のオンライン/オフライン判定およびリソース利用ルールの下で事前設定リソース上でのみ動作できる。しかし、これは柔軟性が乏しく、事前に設定されたリソースは更新することができない。
【発明の概要】
【発明が解決しようとする課題】
【００１０】
本発明に係る実施例は、端末間の通信と制御の方法及び装置を提供し、ネットワークでカバーされていない動作キャリア上で動作する端末が、ネットワークの構成キャリアを通じて動作キャリアのリソース設定情報を取得し、さらに動作キャリア上で端末間の通信を行わせ、より柔軟にリソースを設定することができるようになる。
【課題を解決するための手段】
【００１１】
本発明の実施例に係る端末間の通信方法は、
動作キャリア上でオフラインであると確定する場合、構成キャリアを確定するステップと、
構成キャリアがオンラインであり、前記構成キャリアに前記動作キャリアのリソース構成情報が設定されていると確定する場合、前記動作キャリアのリソース構成情報を取得するステップと、
前記リソース構成情報に基づき、前記動作キャリアにおいて端末間の通信を行うステップとを備える。
【００１２】
当該方法によれば、動作キャリア（ｏｐｅｒａｔｉｎｇ ｃａｒｒｉｅｒ）上でオフラインであると確定する場合、構成キャリアを確定する。構成キャリアがオンラインであり、前記構成キャリアに前記動作キャリアのリソース構成情報が設定されていると確定する場合、前記動作キャリアのリソース構成情報を取得する。前記リソース構成情報に基づき、前記動作キャリアにおいて端末間の通信を行うことにより、ネットワークでカバーされていない動作キャリアにおいて動作する端末は、オンライン構成キャリアを通じて動作キャリアのリソース構成情報を取得することができ、さらに動作キャリア上で端末間の通信を行わせ、より柔軟にリソースを設定することができるようになり、リソース構成はいつでも更新できる。
【００１３】
好ましくは、当該方法では、構成キャリアがオフラインであると確定した場合、事前に設定されたリソースを利用して端末間の通信を行う。
【００１４】
好ましくは、以下方式のうちの少なくとも１つにより、構成キャリアを確定し、
事前に設定された情報に含まれる構成キャリアリストにより、構成キャリアを確定し、
事前に設定された情報に含まれる検索キャリアリストにより、検索キャリアを確定し、検索キャリアにおいて動作する基地局により構成キャリアを確定し、
サーバとのインターアクションにより、構成キャリアを確定し、
任意のキャリアを介してネットワークにアクセスし、基地局とのインターアクションにより、構成キャリアを確定する。
【００１５】
好ましくは、前記動作キャリアのリソース構成情報を取得する場合、前記構成キャリアにおいて動作する基地局により送信されたブロードキャストメッセージまたは専用シグナリングにより、動作キャリアのリソース構成情報を取得する。
【００１６】
好ましくは、前記動作キャリアは複数のキャリアを含み、前記構成動作キャリアは複数のキャリアを含み、１つの構成キャリアに１つの動作キャリアのリソース構成情報が設定されており、または、１つの構成キャリアに複数の動作キャリアのリソース構成情報が設定されている。
【００１７】
本発明の実施例に係る端末間の通信制御方法は、
端末間の通信のための動作キャリアのリソース構成情報を確定するステップと、
前記リソース構成情報を端末に通知するステップとを備える。
好ましくは、ブロードキャストメッセージまたは専用シグナリングにより、前記リソース構成情報を端末に通知し、または、端末とインターアクションしながら、前記リソース構成情報を端末に通知する。
【００１８】
本発明の実施例に係る端末間の通信装置は、
動作キャリア上でオフラインであると確定する場合、構成キャリアを確定する第１ユニットと、
構成キャリアがオンラインであり、前記構成キャリアに前記動作キャリアのリソース構成情報が設定されていると確定する場合、前記動作キャリアのリソース構成情報を取得する第２ユニットと、
前記リソース構成情報に基づき、前記動作キャリアにおいて端末間の通信を行う第３ユニットとを備える。
【００１９】
好ましくは、前記第３ユニットは、構成キャリアがオフラインであると確定した場合、事前に設定されたリソースを利用して端末間の通信を行う。
【００２０】
好ましくは、前記第１ユニットは、以下の方式のうちの少なくとも１つにより、構成キャリアを確定し、
事前に設定された情報に含まれる構成キャリアリストにより、構成キャリアを確定し、
事前に設定された情報に含まれる検索キャリアリストにより、検索キャリアを確定し、検索キャリアにおいて動作する基地局により構成キャリアを確定し、
サーバとのインターアクションにより、構成キャリアを確定し、
任意のキャリアを介してネットワークにアクセスし、基地局とのインターアクションにより、構成キャリアを確定する。
【００２１】
好ましくは、前記第２ユニットが前記動作キャリアのリソース構成情報を取得する場合、
前記構成キャリアにおいて動作する基地局により送信されたブロードキャストメッセージまたは専用シグナリングにより、動作キャリアのリソース構成情報を取得する。
【００２２】
好ましくは、前記動作キャリアは複数のキャリアを含み、前記構成動作キャリアは複数のキャリアを含み、１つの構成キャリアに１つの動作キャリアのリソース構成情報が設定されており、または、１つの構成キャリアに複数の動作キャリアのリソース構成情報が設定されている。
【００２３】
本発明の実施例に係る端末間の通信制御装置は、
端末間の通信のための動作キャリアのリソース構成情報を確定する確定ユニットと、
前記リソース構成情報を端末に通知する通知ユニットとを備える。
【００２４】
好ましくは、前記通知ユニットは、ブロードキャストメッセージまたは専用シグナリングにより、前記リソース構成情報を端末に通知し、または、端末とインターアクションしながら、前記リソース構成情報を端末に通知する。
【００２５】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造的な作業を行わないことを前提として、これらの図面に基づいて他の図面を得ることができる。
【図面の簡単な説明】
【００２６】
【図１】本発明の実施例に係る端末間の通信方法のフローチャートである。
【図２】本発明の実施例に係る端末間の通信制御方法のフローチャートである。
【図３】本発明の実施例に係る端末間の通信装置の構成図である。
【図４】本発明の実施例に係る端末間の通信制御装置の構成図である。
【図５】本発明の実施例に係る他の端末間の通信装置の構成図である。
【図６】本発明の実施例に係る他の端末間の通信制御装置の構成図である。
【発明を実施するための形態】
【００２７】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造的な作業を行わない限りに得られた他の実施例は、全部本発明の保護範囲に属する。
【００２８】
本発明の技術案は多様な通信システムに応用することができる。例えば、ＧＳＭ（登録商標）（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ（登録商標）（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【００２９】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ、ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００３０】
本発明に係る実施例において、基地局（たとえば、アクセスポイント）は、エアインタフェースを介して１つまたは複数のセクタにわたって無線端末と通信するアクセスネットワーク内のデバイスであることができる。基地局は、受信したエアフレームをＩＰパケットに、そして受信したＩＰパケットをエアフレームに変換し、無線端末とアクセスネットワークの残りの構成要素との間のルータとして動作するように構成することができる。ここで、アクセスネットワークの残り部分は、インターネットプロトコル（ＩＰ）ネットワークを含むことができる。基地局エアインタフェースに関する属性管理をさらに調整することができ、例えば、基地局は、ＧＳＭ（登録商標）またはＣＤＭＡシステムにおける（Ｂａｓｅ Ｔｒａｎｓｃｅｉｖｅｒ Ｓｔａｔｉｏｎ、ＢＴＳ）であり得るか、またはＷＣＤＭＡ（登録商標）における基地局（ＮｏｄｅＢ）であり得る。しかし、本発明はそれに限定されないが、ＬＴＥシステムにおける進化型基地局（ＮｏｄｅＢまたはｅＮＢまたはｅ−ＮｏｄｅＢ、ｅｖｏｌｕｔｉｏｎａｌ Ｎｏｄｅ Ｂ）であることもできる。
【００３１】
本発明に係る実施例は、端末間の通信と制御の方法及び装置を提供し、ネットワークでカバーされていない動作キャリア上で動作する端末が，オンライン構成キャリアを通じて動作キャリアのリソース構成情報を取得することができ、さらに動作キャリア上で端末間の通信を行わせ、より柔軟にリソースを設定することができるようになる。
【００３２】
本発明の実施例に係る技術案に構成キャリアが導入され、ＰＣ４インターフェース動作キャリア上でオフラインであると判断されたＵＥに対し、構成キャリアがオフラインであるかどうかを検索し、ＵＥが構成キャリア上でオフラインであると判断され、または、ＵＥが構成キャリア上でオフラインであると判断されたが、構成キャリアにおいて動作する基地局がＰＣ４インターフェースの動作キャリアのリソース構成情報を有さない場合、ＵＥがオフラインであると判断され、事前に設定されたリソースを利用することができる。さもないと、ＵＥは、構成キャリアにおいて動作する基地局により通知された動作キャリアのリソース構成情報を利用して、動作キャリアにおいてＵＥ間の通信を行う。
【００３３】
図１は、ＵＥ側の、本発明の実施例に係る端末間の通信方法を示し、当該方法は、以下のステップを備える。
【００３４】
Ｓ１０１において、動作キャリア上でオフラインであると確定する場合、構成キャリアを確定する。
【００３５】
Ｓ１０２において、構成キャリアがオンラインであり、前記構成キャリアに前記動作キャリアのリソース構成情報が設定されていると確定する場合、前記動作キャリアのリソース構成情報を取得する。
【００３６】
つまり、本発明に係る実施例では、構成キャリアオンライン時の２つの場合にオンラインである。１つは、構成キャリアにおいてキャリアのリソース構成情報が設定された場合である。この場合、構成キャリア上で設定されたキャリアのリソース構成情報により、動作キャリアにおいて端末間の通信を行う。他の１つは、構成キャリアに構成キャリアのリソース構成情報が設定されていない場合である。この場合、端末は、依然として事前に設定されたリソース動作キャリアにおいて端末間の通信を行う。
【００３７】
Ｓ１０３において、前記リソース構成情報に基づき、前記動作キャリアにおいて端末間の通信を行う。
【００３８】
当該方法によれば、動作キャリア上でオフラインであると確定する場合、構成キャリアを確定する。構成キャリアがオンラインであり、前記構成キャリアに前記動作キャリアのリソース構成情報が設定されていると確定する場合、前記動作キャリアのリソース構成情報を取得する。前記リソース構成情報に基づき、前記動作キャリアにおいて端末間の通信を行うことにより、ネットワークでカバーされていない動作キャリアにおいて動作する端末は、オンライン構成キャリアを通じて動作キャリアのリソース構成情報を取得することができ、さらに動作キャリア上で端末間の通信を行わせ、より柔軟にリソースを設定することができるようになり、リソース構成はいつでも更新できる。
【００３９】
好ましくは、当該方法では、構成キャリアがオフラインであると確定した場合、事前に設定されたリソースを利用して端末間の通信を行う。
【００４０】
好ましくは、以下方式のうちの少なくとも１つにより、構成キャリアを確定する。
【００４１】
◎  事前に設定された情報に含まれる構成キャリアリストにより、構成キャリアを確定する。
【００４２】
◎  事前に設定された情報に含まれる検索キャリアリストにより、検索キャリアを確定し、検索キャリアにおいて動作する基地局により構成キャリアを確定する。
【００４３】
◎  サーバとのインターアクションにより、構成キャリアを確定する。
【００４４】
ここで、ＵＥは、何らかの方法でサーバからサーバ構成キャリアの情報を取得することができ、例えば、有線接続、ＷＩＦＩ、２Ｇ、３Ｇ、４Ｇまたは４Ｇネットワークインターフェース接続などを介して、サーバから構成キャリアの情報を取得し、構成キャリアを確定し、
任意のキャリアを介してネットワークにアクセスし、基地局とのインターアクションにより、構成キャリアを確定する。
【００４５】
好ましくは、前記動作キャリアのリソース構成情報を取得する場合、
前記構成キャリアにおいて動作する基地局により送信されたブロードキャストメッセージまたは専用シグナリングにより、動作キャリアのリソース構成情報を取得する。
【００４６】
好ましくは、前記動作キャリアは複数のキャリアを含み、前記構成動作キャリアは複数のキャリアを含み、１つの構成キャリアに１つの動作キャリアのリソース構成情報が設定されており、または、１つの構成キャリアに複数の動作キャリアのリソース構成情報が設定されている。
【００４７】
好ましくは、本発明に係る実施例の前記キャリアはＰＣ４インターフェースの動作キャリアである。もちろん、これ以外の他の種類のキャリアにも適用可能であり、すなわち、本発明の実施例に係る技術案は、例えば、ブルートゥース（登録商標）、赤外線、Ｗｉｆｉなどの任意のシナリオにおける端末間の通信に適用可能であり得る。ＰＣ４インターフェースの動作キャリアは複数の動作キャリアであることができ、構成キャリアも複数の動作キャリアであることができる。複数の動作キャリアに対し、ネットワークは、構成キャリアにより、全てのキャリアのリソースを設定することができ、また、１つのキャリアにより、その一部のキャリアのリソースを設定するか、または、異なる構成キャリアにより異なるキャリアのリソースを設定する。
【００４８】
一方、基地局側の場合、図２に示すように、本発明の実施例に係る端末間の通信制御方法は、以下のステップを備える。
【００４９】
S２０１において、端末間通信のための動作キャリアのリソース構成情報を確定する。
【００５０】
S２０２において、前記リソース構成情報を端末に通知する。
【００５１】
好ましくは、構成キャリアにおいて動作する基地局ブロードキャストメッセージまたは専用シグナリングにより、前記リソース構成情報を端末に通知し、または、構成キャリアにおいて動作する基地局は、端末とインターアクションしながら、前記キャリアのリソース構成情報を端末に通知する。
【００５２】
以下、具体的な実施例を挙げる。実施例では、端末間の通信にＰＣ４インターフェースを用いることを例とする。
【００５３】
実施例１
ＰＣ４単一キャリアシナリオにおいて、ＰＣ４インターフェースのＵＥは、動作キャリアＦ１において動作され、キャリアＦ１には基地局が有さない。構成キャリアは、事前に設定された方法でキャリアＦ２として設定される。キャリアＦ２はＬＴＥネットワークによりカバーされ、また、基地局は、システム情報ブロック（Ｓｙｓｔｅｍ Ｉｎｆｏｒｍａｔｉｏｎ Ｂｌｏｃｋ，ＳＩＢ）により、キャリアＦ１のリソース構成情報をブロードキャストする。この際、通信プロセスは、以下のステップを備える。
【００５４】
ステップ１において、ＵＥは、Ｆ１においてネットワークを検索し、Sルールを満足するセルが見つからなかった。
【００５５】
ステップ２において、ＵＥは、Ｆ２において、ネットワークを検索し、Sルールを満足するセルＡが見つかって、ＵＥは、セルＡのシステム情報を読み出し、Ｆ１のＰＣ４リソース構成情報を受信する。
【００５６】
ステップ３において、ＵＥは、受信したＦ１のＰＣ４リソース構成情報により、Ｆ１において通信する。
【００５７】
実施例２
ＰＣ４単一キャリアシナリオにおいて、ＰＣ４インターフェースのＵＥは、動作キャリアＦ１において動作され、キャリアＦ１には基地局が有さない。構成キャリアは、事前に設定された方法でキャリアＦ２として設定される。キャリアＦ２においてSルールを満足するセルが見つからなかった場合、通信プロセスは、以下のステップを備える。
【００５８】
ステップ１において、ＵＥは、動作キャリアＦ１において、ネットワークを検索し、Sルールを満足するセルが見つからなかった。
【００５９】
ステップにおいて、ＵＥは、動作キャリアＦ２において、ネットワークを検索し、Sルールを満足するセルが見つからなかった。
【００６０】
ステップ３において、ＵＥは、事前に設定された構成リソースにより、動作キャリアＦ１において通信する。
【００６１】
実施例３
ＰＣ４単一キャリアシナリオにおいて、ＰＣ４インターフェースのＵＥは、動作キャリアＦ１において動作され、キャリアＦ１には基地局が有さない。構成キャリアは、事前に設定された方法でキャリアＦ２として設定される。キャリアＦ２はＬＴＥネットワークによりカバーされたが、基地局はキャリアＦ１のＰＣ４リソース構成情報を有さない場合、通信プロセスは、以下のステップを備える。ステップ１において、ＵＥは、動作キャリアＦ１において、ネットワークを検索し、Sルールを満足するセルが見つからなかった。
【００６２】
ステップ２において、ＵＥは、動作キャリアＦ２において、ネットワークを検索し、Sルールを満足するセルＡが見つかって、ＵＥは、セルＡのシステム情報を読み出し、キャリアＦ１のＰＣ４リソース構成情報を受信できていなかったか、または、ＵＥは、基地局との接続を確立し、専用シグナリングインターアクションにより、キャリアＦ１のＰＣ４リソース構成情報がないことを知る。
【００６３】
ステップ３において、ＵＥは、事前に設定されたリソース情報により、動作キャリアＦ１において通信する。
【００６４】
実施例４
ＰＣ４単一キャリアシナリオ，ＰＣ４インターフェースのＵＥは、動作キャリアＦ１において動作され、キャリアＦ１には基地局が有さない。ＵＥの事前に設定された情報に検索キャリアＦ３が含まれ、ＰＣ４インターフェースの構成キャリアはキャリアＦ２であり、通信プロセスは、以下のステップを備える。
【００６５】
ステップ１において、ＵＥは、動作キャリアＦ１において、ネットワークを検索し、Sルールを満足するセルが見つからなかった。
【００６６】
ステップ２において、ＵＥは、動作キャリアＦ３において、ネットワークを検索し、Sルールを満足するセルＡが見つかって、ＵＥは、セルＡのシステム情報を読み出し、ＰＣ４構成キャリアＦ２の情報を取得し、ＰＣ４構成キャリアＦ２を確定する。
【００６７】
ステップ３において、ＵＥは、動作キャリアＦ２において、ネットワークを検索し、Sルールを満足するセルＢが見つかって、ＵＥはセルＢのシステム情報を読み出し、キャリアＦ１のＰＣ４リソース構成情報を受信する。
【００６８】
ステップ４において、ＵＥは、受信したキャリアＦ１のＰＣ４リソース構成情報により、動作キャリアＦ１において通信する。
【００６９】
実施例４
ＰＣ４単一キャリアシナリオにおいて、ＰＣ４インターフェースのＵＥは、動作キャリアＦ１において動作され、キャリアＦ１には基地局が有さない。ＵＥは、ネットワークに任意にアクセスしたサーバとのインターアクションにより、構成キャリアＦ２を取得し、通信プロセスは、以下のステップを備える。
【００７０】
ステップ１において、ＵＥは、動作キャリアＦ１において、ネットワークを検索し、Sルールを満足するセルが見つからなかった。
【００７１】
ステップ２において、ＵＥは、動作キャリアＦ２において、ネットワークを検索し、Sルールを満足するセルＡが見つかって、ＵＥは、セルＡのシステム情報を読み出し、キャリアＦ１のＰＣ４リソース構成情報を受信する。
【００７２】
ステップ３において、ＵＥは、受信したキャリアＦ１のＰＣ４リソース構成情報により、動作キャリアＦ１において通信する。
【００７３】
実施例６
ＰＣ４単一キャリアシナリオ，ＰＣ４インターフェースのＵＥは、動作キャリアＦ１において動作され、キャリアＦ１には基地局が有さない。ＵＥは構成キャリアの情報を知らない場合、通信プロセスは、以下のステップを備える。
【００７４】
ステップ１において、ＵＥは、動作キャリアＦ１において、ネットワークを検索し、Sルールを満足するセルが見つからなかった。
【００７５】
ステップ２において、ＵＥは、Ｕｕインターフェースを介してネットワークを検索し、Sルールを満足するセルＡに在留（ｒｅｓｉｄｅ）する。
【００７６】
ステップ３において、ＵＥは、サービング基地局とのインターアクションにより、構成キャリアＦ２の情報を取得する。
【００７７】
ステップ４において、ＵＥは、動作キャリアＦ２において、ネットワークを検索し、Sルールを満足するセルＢが見つかって、ＵＥは、セルＢのシステムメッセージを読み出し、キャリアＦ１のＰＣ４リソース構成情報を受信する。
【００７８】
ステップ５において、ＵＥは、受信したキャリアＦ１のＰＣ４リソース構成情報により、動作キャリアＦ１において通信する。
【００７９】
実施例７
ＰＣ４マルチキャリアシナリオにおいて、ＰＣ４インターフェースのＵＥは、動作キャリアＦ１とキャリアＦ２において動作し、キャリアＦ１及びＦ２を利用する基地局はない。ＵＥの事前に設定された情報に構成キャリアＦ３の情報が含まれる場合、通信プロセスは、以下のステップを備える。
【００８０】
ステップ１において、ＵＥは、動作キャリアＦ１及びＦ２において、ネットワークを検索し、Sルールを満足するセルが見つからなかった。
【００８１】
ステップ２において、ＵＥは、動作キャリアＦ３において、ネットワークを検索し、Sルールを満足するセルＡが見つかって、ＵＥは、セルＡのシステム情報を読み出し、キャリアＦ１及びＦ２のＰＣ４リソース構成情報を受信する。
【００８２】
ステップ３において、ＵＥは、受信したキャリアＦ１及びＦ２のＰＣ４リソース構成情報により、動作キャリアＦ１及びＦ２において通信する。
【００８３】
実施例８
ＰＣ４マルチキャリアシナリオにおいて、ＰＣ４インターフェースのＵＥは、動作キャリアＦ１とキャリアＦ２において動作し、キャリアＦ１及びＦ２を利用する基地局がない。ＵＥの事前に設定された情報に構成キャリアＦ３の情報が含まれる場合、通信プロセスは、以下のステップを備える。
【００８４】
ステップ１において、ＵＥは、動作キャリアＦ１及びＦ２において、ネットワークを検索し、Sルールを満足するセルが見つからなかった。
【００８５】
ステップ２において、ＵＥは、動作キャリアＦ３において、ネットワークを検索し、Sルールを満足するセルＡが見つかって、ＵＥは、セルＡのシステム情報を読み出し、キャリアＦ１のＰＣ４リソース構成情報を受信する。
【００８６】
ステップ３において、ＵＥは、受信したキャリアＦ１のＰＣ４リソース構成情報により、動作キャリアＦ１において通信し、ＵＥは、事前に設定された情報により、動作キャリアＦ２において通信する。
【００８７】
実施例９
ＰＣ４マルチキャリアシナリオにおいて、ＰＣ４インターフェースのＵＥは、動作キャリアＦ１とキャリアＦ２において動作し、キャリアＦ１及びＦ２を利用する基地局がない。ＵＥの事前に設定された情報に構成キャリアＦ３及びF４の情報が含まれる場合、通信プロセスは、以下のステップを備える。
【００８８】
ステップ１において、ＵＥは、動作キャリアＦ１及びＦ２において、ネットワークを検索し、Sルールを満足するセルが見つからなかった。
【００８９】
ステップ２において、ＵＥは、動作キャリアＦ３において、ネットワークを検索し、Sルールを満足するセルＡが見つかって、ＵＥは、セルＡのシステム情報を読み出し、キャリアＦ１のＰＣ４リソース構成情報を受信する。
【００９０】
ステップ３において、ＵＥは、動作キャリアF４において、ネットワークを検索し、Sルールを満足するセルＢが見つかって、ＵＥはセルＢのシステム情報を読み出し、キャリアＦ２のＰＣ４リソース構成情報を受信する。
【００９１】
ステップ４において、ＵＥは、キャリアＦ３において受信したキャリアＦ１のＰＣ４リソース構成情報により、動作キャリアＦ１において通信し、ＵＥは、キャリアF４において受信したキャリアＦ２のＰＣ４リソース構成情報により、動作キャリアＦ２において通信する。
【００９２】
マルチキャリアシナリオにおいて、ＵＥが他の方法で構成キャリアの情報を取得して、構成キャリアを確定する実施例を列挙せず、単一キャリアシナリオと同様である。
【００９３】
以上の実施例では、ＵＥは、ＰＣ４インターフェースの動作キャリア及び構成キャリアにおいて、Sルールを満足するセルを見つからなければ、事前に設定された構成リソースにより通信する。
【００９４】
上述の端末側の方法に応じるように、図３に係る本発明の実施例に係る端末間の通信装置がさらに提供される。当該装置は、
動作キャリア上でオフラインであると確定する場合、構成キャリアを確定する第１ユニット１１と、
構成キャリアがオンラインであり、前記構成キャリアに前記動作キャリアのリソース構成情報が設定されていると確定する場合、前記動作キャリアのリソース構成情報を取得する第２ユニット１２と、
前記リソース構成情報に基づき、前記動作キャリアにおいて端末間の通信を行う第３ユニット１３とを備える。
【００９５】
好ましくは、前記第３ユニットは、構成キャリアがオフラインであると確定した場合、事前に設定されたリソースを利用して端末間の通信を行う。
【００９６】
好ましくは、前記第１ユニットは、以下の方式のうちの少なくとも１つにより、構成キャリアを確定する。
【００９７】
◎事前に設定された情報に含まれる構成キャリアリストにより、構成キャリアを確定する。
【００９８】
◎事前に設定された情報に含まれる検索キャリアリストにより、検索キャリアを確定し、検索キャリアにおいて動作する基地局により構成キャリアを確定する。
【００９９】
◎サーバとのインターアクションにより、構成キャリアを確定する。
【０１００】
◎任意のキャリアを介してネットワークにアクセスし、基地局とのインターアクションにより、構成キャリアを確定する。
【０１０１】
好ましくは、前記第２ユニットが前記動作キャリアのリソース構成情報を取得する場合、前記構成キャリアにおいて動作する基地局により送信されたブロードキャストメッセージまたは専用シグナリングにより、動作キャリアのリソース構成情報を取得する。
【０１０２】
好ましくは、前記動作キャリアは複数のキャリアを含み、前記構成動作キャリアは複数のキャリアを含み、１つの構成キャリアに１つの動作キャリアのリソース構成情報が設定されており、または、１つの構成キャリアに複数の動作キャリアのリソース構成情報が設定されている。
【０１０３】
上述のネットワーク側の方法と対応するように、図４に示す本発明の実施例に係る端末間の通信制御装置がさらに提供される。当該装置は、
端末間の通信のための動作キャリアのリソース構成情報を確定する確定ユニット２１と、
前記リソース構成情報を端末に通知する通知ユニット２２とを備える。
【０１０４】
好ましくは、前記通知ユニットは、ブロードキャストメッセージまたは専用シグナリングにより、前記リソース構成情報を端末に通知し、または、端末とインターアクションしながら、前記リソース構成情報を端末に通知する。
【０１０５】
上述の端末側の方法と対応するように、図４に示す本発明の実施例に係る他の端末間の通信装置がさらに提供される。当該装置は、プロセッサ６００と、メモリ６２０と、送受信機６１０とを備える。
【０１０６】
前記プロセッサ６００は、メモリ６２０に格納されたプログラムを読み出し、動作キャリア上でオフラインであると確定する場合、構成キャリアを確定し、
構成キャリアがオンラインであり、前記構成キャリアに前記動作キャリアのリソース構成情報が設定されていると確定する場合、送受信機６１０により、前記動作キャリアのリソース構成情報を取得し、
前記リソース構成情報に基づき、送受信機６１０により、前記動作キャリアにおいて端末間の通信を行う。
【０１０７】
好ましくは、プロセッサ６００は、構成キャリアがオフラインであると確定した場合、事前に設定されたリソースにおいて、送受信機６１０により、端末間の通信を行う。
【０１０８】
好ましくは、プロセッサ６００は、以下方式のうちの少なくとも１つにより、構成キャリアを確定する。
【０１０９】
◎事前に設定された情報に含まれる構成キャリアリストにより、構成キャリアを確定する。
【０１１０】
◎事前に設定された情報に含まれる検索キャリアリストにより、検索キャリアを確定し、検索キャリアにおいて動作する基地局により構成キャリアを確定する。
【０１１１】
◎送受信機６１０により、サーバとのインターアクションにより、構成キャリアを確定する。
【０１１２】
◎任意のキャリアを介してネットワークにアクセスし、送受信機６１０により、基地局とのインターアクションに基づき、構成キャリアを確定する。
【０１１３】
好ましくは、プロセッサ６００前記動作キャリアのリソース構成情報を取得する場合、
送受信機６１０により、前記構成キャリアにおいて動作する基地局により送信されたブロードキャストメッセージまたは専用シグナリングを取得して、動作キャリアのリソース構成情報を取得する。
【０１１４】
好ましくは、前記動作キャリアは複数のキャリアを含み、前記構成動作キャリアは複数のキャリアを含み、１つの構成キャリアに１つの動作キャリアのリソース構成情報が設定されており、または、１つの構成キャリアに複数の動作キャリアのリソース構成情報が設定されている。
【０１１５】
前記送受信機６１０は、プロセッサ６００の制御によりデータを送受信する。
【０１１６】
ここで、図５において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、すなわち、送信機及び受信機を備え、伝送媒体を介して他の装置と通信するユニットを提供する。異なるユーザー設備に対し、ユーザインターフェース６３０、外部接続または内部接続に必要な設備のインターフェースであることもできる。接続する設備は、キーパッド、ディスプレー、スピーカー、マイクロホン、ジョイスティック等を備えるが、これに限られない。
【０１１７】
プロセッサ６００は、バスアーキテクチャ及び通常の処理を管理し、メモリ６２０は、６００動作する際に利用するデータを記憶することができる。
【０１１８】
上述のネットワーク側の方法に応じるように、図６に示す本発明の実施例に係る他の端末間の通信制御装置がさらに提供され、当該装置は、プロセッサ４００と、メモリ４２０と、送受信機４１０とを備える。
【０１１９】
前記プロセッサ４００は、メモリ４２０に格納されたプログラムを読み出し、端末間の通信のための動作キャリアのリソース構成情報を確定し、
前記リソース構成情報を送受信機４１０により、端末に通知する。
【０１２０】
好ましくは、プロセッサ４００は、送受信機４１０を介して、ブロードキャストメッセージまたは専用シグナリングにより、前記リソース構成情報を端末に通知し、または、プロセッサ４００は、送受信機４１０を介して、端末とインターアクションしながら、前記リソース構成情報を端末に通知する。
【０１２１】
前記送受信機４１０は、プロセッサ４００の制御によりデータを送受信する。
【０１２２】
ここで、図６において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、すなわち、送信機及び送受信機を備え、伝送媒体において、他の装置と通信するユニットを提供する。プロセッサ４００は、バスアーキテクチャ及び通常の処理を管理し、メモリ４２０は、４００動作する際に利用するデータを記憶することができる。
【０１２３】
本発明に係る実施例のコンピュータ装置は、少なくとも、メモリ７００と、少なくとも１つのプロセッサ７１０を備える。
【０１２４】
前記メモリ７００は、端末間の通信方法を実行するためのプログラムを格納し、
少なくとも１つのプロセッサ７１０は、前記プログラムを読み出し、プログラムを実行する時に、動作キャリア上でオフラインであると確定する場合、構成キャリアを確定し、
構成キャリアがオンラインであり、前記構成キャリアに前記動作キャリアのリソース構成情報が設定されていると確定する場合、前記動作キャリアのリソース構成情報を取得し、
前記リソース構成情報に基づき、前記動作キャリアにおいて端末間の通信を行う。
【０１２５】
本発明に係る実施例のコンピュータ装置は、少なくとも、メモリ８００と、少なくとも１つのプロセッサ８１０を備える。
【０１２６】
前記メモリ８００は、端末間の通信制御方法を実行するためのプログラムを格納する。
【０１２７】
少なくとも１つのプロセッサ８１０は、前記プログラムを読み出し、プログラムを実行する時に、端末間の通信のための動作キャリアのリソース構成情報を確定し、
前記リソース構成情報を端末に通知する。
【０１２８】
本発明の実施例に係る前記プロセッサは、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）または、ＣＰＬＤ（Ｃｏｍｐｌｅｘ Ｐｒｏｇｒａｍｍａｂｌｅ Ｌｏｇｉｃ Ｄｅｖｉｃｅ）であることができる。
【０１２９】
本発明の実施例に係る前記端末間の通信装置は、端末であることができる。前記端末間の通信制御装置は、基地局などのネットワーク装置であることができる。
【０１３０】
要するに、本発明の実施例に構成キャリアが導入され、ＰＣ４キャリアがオフラインであると判断されたＵＥは、構成キャリアがオフラインであるかどうかを検索し、ＵＥが構成キャリアにおいてオフラインであると判断され、または、ＵＥが構成キャリアにおいてオフラインであると判断されたが、構成キャリア上の基地局が、ＰＣ４インターフェースの動作キャリアのリソース構成情報を有さない場合、ＵＥがオフラインであると判断され、事前に設定されたリソースにおいて、動作キャリア上で通信することができる。さもないと、ＵＥは、構成キャリアにおいて動作する基地局により設定されたＰＣ４インターフェースの動作キャリアのリソース構成情報により、動作キャリアにおいて通信する。したがって、本発明に係る実施例によれば、基地局なしでＰＣ４インターフェースのリソースを設定し、より柔軟にリソースを設定することができる。
【０１３１】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたは複数のコンピュータプログラム製品の形式を採用できる。当該製品はコンピュータ利用可能なプログラムコードを含むコンピュータ利用可能な記憶媒体（ディスク記憶装置、ＣＤ-ＲＯＭ、光学記憶装置等を含むがそれとは限らない）において実施する。
【０１３２】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム命令を実行し、フロー図における一つまたは複数のフローおよび／またはブロック図における一つまたは複数のブロックに指定する機能を実現する。  
【０１３３】
これらのコンピュータプログラム命令は又、コンピュータまたは他のプログラム可能なデータ処理装置を特定形態で動作させるコンピュータ読取記憶装置に記憶できる。これによって、指令を含む装置は当該コンピュータ読取記憶装置内の指令を実行でき、フロー図における一つまたは複数のフローおよび／またはブロック図における一つまたは複数のブロックに指定する機能を実現する。
【０１３４】
これらコンピュータプログラム命令はさらに、コンピュータまたは他のプログラム可能なデータ処理装置設備に実装もできる。コンピュータプログラム命令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。  
【０１３５】
上述した実施形態に記述された技術的な解決手段を改造し、またはその中の一部の技術要素を置換することもできる。そのような、改造と置換は本発明の各実施形態の技術の範囲から逸脱するとは見なされない。
【０１３６】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【０１３７】
本出願は、２０１６年７月２０日に中国特許局に提出し、出願番号が２０１６１０４７８６６８.３であり、発明名称が「端末間の通信と制御の方法及び装置」との中国特許出願を基礎とする優先権を主張し、その開示の総てをここに取り込む。
【符号の説明】
【０１３８】
１１  第１ユニット
１２      第２ユニット
１３      第３ユニット
２１      確定ユニット
２２      通知ユニット
４００  プロセッサ
４１０  送受信機
４２０  メモリ
５００  プロセッサ
５１０  送受信機
５２０  メモリ
６００  プロセッサ
６１０  送受信機
６２０  メモリ
６３０  ユーザインターフェース
７００  メモリ
７１０  プロセッサ
８００  メモリ
８１０  プロセッサ
【図１】
2019521616.tif 000003
【図２】
2019521616.tif 000004
【図３】
2019521616.tif 000005
【図４】
2019521616.tif 000006
【図５】
2019521616.tif 000007
【図６】
2019521616.tif 000008
【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
動作キャリア上でオフラインであると確定する場合、構成キャリアを確定するステップと、
構成キャリアがオンラインであり、前記構成キャリアに前記動作キャリアのリソース構成情報が設定されていると確定する場合、前記動作キャリアのリソース構成情報を取得するステップと、
前記リソース構成情報に基づき、前記動作キャリアにおいて端末間の通信を行うステップとを備えることを特徴とする端末間の通信方法。
【請求項２】
構成キャリアがオフラインであると確定した場合、事前に設定されたリソースを利用して端末間の通信を行うことを特徴とする請求項１に記載の端末間の通信方法。
【請求項３】
以下方式のうちの少なくとも１つにより、構成キャリアを確定し、
事前に設定された情報に含まれる構成キャリアリストにより、構成キャリアを確定し、
事前に設定された情報に含まれる検索キャリアリストにより、検索キャリアを確定し、検索キャリアにおいて動作する基地局により構成キャリアを確定し、
サーバとのインターアクションにより、構成キャリアを確定し、
任意のキャリアを介してネットワークにアクセスし、基地局とのインターアクションにより、構成キャリアを確定することを特徴とする請求項１に記載の端末間の通信方法。
【請求項４】
前記動作キャリアのリソース構成情報を取得する場合、
前記構成キャリアにおいて動作する基地局により送信されたブロードキャストメッセージまたは専用シグナリングにより、動作キャリアのリソース構成情報を取得することを特徴とする請求項１に記載の端末間の通信方法。
【請求項５】
前記動作キャリアは複数のキャリアを含み、前記構作キャリアは複数のキャリアを含み、１つの構成キャリアに１つの動作キャリアのリソース構成情報が設定されており、または、１つの構成キャリアに複数の動作キャリアのリソース構成情報が設定されていることを特徴とする請求項１に記載の端末間の通信方法。
【請求項６】
動作キャリア上でオフラインであると確定する場合、構成キャリアを確定する第１ユニットと、
構成キャリアがオンラインであり、前記構成キャリアに前記動作キャリアのリソース構成情報が設定されていると確定する場合、前記動作キャリアのリソース構成情報を取得する第２ユニットと、
前記リソース構成情報に基づき、前記動作キャリアにおいて端末間の通信を行う第３ユニットとを備えることを特徴とする端末間の通信装置。
【請求項７】
前記第３ユニットは、構成キャリアがオフラインであると確定した場合、事前に設定されたリソースを利用して端末間の通信を行うことを特徴とする請求項６に記載の端末間の通信装置。
【請求項８】
前記第１ユニットは、以下の方式のうちの少なくとも１つにより、構成キャリアを確定し、
事前に設定された情報に含まれる構成キャリアリストにより、構成キャリアを確定し、
事前に設定された情報に含まれる検索キャリアリストにより、検索キャリアを確定し、検索キャリアにおいて動作する基地局により構成キャリアを確定し、
サーバとのインターアクションにより、構成キャリアを確定し、
任意のキャリアを介してネットワークにアクセスし、基地局とのインターアクションにより、構成キャリアを確定することを特徴とする請求項６に記載の端末間の通信装置。
【請求項９】
前記第２ユニットが前記動作キャリアのリソース構成情報を取得する場合、
前記構成キャリアにおいて動作する基地局により送信されたブロードキャストメッセージまたは専用シグナリングにより、動作キャリアのリソース構成情報を取得することを特徴とする請求項６に記載の端末間の通信装置。
【請求項１０】
前記動作キャリアは複数のキャリアを含み、前記構成キャリアは複数のキャリアを含み、１つの構成キャリアに１つの動作キャリアのリソース構成情報が設定されており、または、１つの構成キャリアに複数の動作キャリアのリソース構成情報が設定されていることを特徴とする請求項６に記載の端末間の通信装置。
【国際調査報告】
2019521616.tif 000009
2019521616.tif 000010
2019521616.tif 000011
2019521616.tif 000012